(57)【要約】【課題】サイズの異なる多数数の紙幣を入金する入金取引処理において、カセットの追加等をすることなく、入金取引処理の効率を向上することのできる紙幣取引装置、紙幣取引方法及び紙幣取引プログラムを提供し、金融機関の一線窓口業務における業務効率を向上させることを目的とする。【解決手段】異サイズが混在する紙幣を入金取引処理する紙幣取引装置２に、空状態の収納カセット２３を検出する内部紙幣検知センサと、多数枚入金取引処理において前記一時保留部２１における前記所定集積枚数以上の入金を選択する多数枚入金ボタン２０１と、該多数枚入金ボタン２０１によって前記所定集積枚数以上の入金が選択された場合に、前記鑑別部２２で判別できた一種の紙幣６２を前記空状態のカセットに一時集積するよう制御する入金紙幣集積制御手段（ステップＳ１０９）とを備えた。【選択図】図２
2010231554.tif 000002
【特許請求の範囲】
【請求項１】
紙幣の受け入れを許容する入金口と、
該入金口から入金された前記紙幣を鑑別計数する鑑別部と、
所定集積枚数の大きさの異なる前記紙幣の集積及び繰り出しを許容する一時保留部と、
同じ大きさの紙幣を収納する収納カセットとを備えた紙幣取引装置であって、
前記収納カセットのうち前記紙幣が集積されていない空状態である空状態カセットを検出する空状態カセット検出手段と、
入金取引処理において前記一時保留部における前記所定集積枚数以上の入金を選択する多数入金選択手段と、
該多数入金選択手段によって前記所定集積枚数以上の入金が選択された場合に、前記鑑別部で判別できた同じ大きさの紙幣を前記空状態カセットに一時集積するよう制御する入金紙幣集積制御手段とを備えた
紙幣取引装置。
【請求項２】
前記収納カセットを、
金種別に紙幣を収納する金種別収納カセットと、
前記収納カセットへ紙幣を装填する紙幣装填時における前記紙幣の繰り出しと、前記収納カセットから前記紙幣を回収する紙幣回収時における前記紙幣の集積を許容する装填カセットとで構成し、
前記入金紙幣集積制御手段を、
前記鑑別部で判別できた紙幣のうち一種の紙幣を、空状態の前記装填カセットに集積制御するとともに、他種の紙幣を一時保留部に集積制御する構成とし、
前記装填カセットに集積した集積紙幣の前記収納カセットへ収納するための搬送の要否を選択する収納搬送要否選択手段を備え、
該収納搬送要否選択手段によって前記集積紙幣の搬送不要が選択された場合、前記装填カセット内の集積紙幣を集積したまま入金取引処理を終了する
請求項１に記載の紙幣取引装置。
【請求項３】
前記鑑別部で判別できた紙幣うち前記装填カセットに集積する金種を指定する集積金種指定手段を備えた
請求項２に記載の紙幣取引装置。
【請求項４】
前記一時保留部に集積した集積紙幣の前記収納カセットへ収納するための搬送を指示する集積紙幣収納搬送指示手段を備え、
該集積紙幣収納搬送指示手段による搬送指示に基づき、一時保留部に集積した集積紙幣のみを前記収納カセットへ搬送し、前記装填カセット内の集積紙幣を集積したまま入金取引処理を終了する収納モードを備えた
請求項２又は３に記載の紙幣取引装置。
【請求項５】
前記装填カセットが前記金種別収納カセットとして機能するよう指示する機能指示手段を備え、
入金取引処理を完了後、前記装填カセットに集積した集積紙幣の出金処理を許容する
請求項２から４のうちいずれかに記載の紙幣取引装置。
【請求項６】
該金種別収納カセットを、前記装填カセットとして機能するよう指示する機能指示手段を備えた
請求項２から５のうちいずれかに記載の紙幣取引装置。
【請求項７】
紙幣の受け入れを許容する入金口と、該入金口から入金された前記紙幣を鑑別計数する鑑別部と、所定集積枚数の大きさの異なる前記紙幣の集積及び繰り出しを許容する一時保留部と、同じ大きさの紙幣を収納する収納カセットとを備えた紙幣取引装置とを用い、
前記収納カセットのうち前記紙幣が集積されていない空状態である空状態カセットを検出する空状態カセット検出ステップと、
入金取引処理において前記一時保留部における前記所定集積枚数以上の入金を選択する多数入金選択ステップと、
前記所定集積枚数以上の入金が選択された場合に、前記鑑別部で判別できた同じ大きさの紙幣を前記空状態カセットに一時集積するよう制御する入金紙幣集積制御ステップとを実行する
紙幣取引方法。
【請求項８】
紙幣の受け入れを許容する入金口と、該入金口から入金された前記紙幣を鑑別計数する鑑別部と、所定集積枚数の大きさの異なる前記紙幣の集積及び繰り出しを許容する一時保留部と、同じ大きさの紙幣を収納する収納カセットとを備えた紙幣取引装置とに実行させる紙幣取引プログラムであって、
前記収納カセットのうち前記紙幣が集積されていない空状態である空状態カセットを検出する空状態カセット検出ステップと、
入金取引処理において前記一時保留部における前記所定集積枚数以上の入金を選択する多数入金選択ステップと、
前記所定集積枚数以上の入金が選択された場合に、前記鑑別部で判別できた同じ大きさの紙幣を前記空状態カセットに一時集積するよう制御する入金紙幣集積制御ステップとを紙幣取引装置に実行させる
紙幣取引プログラム。
【発明の詳細な説明】
【技術分野】
【０００１】
本発明は、金融機関等において使用される紙幣取引装置、紙幣取引方法及び紙幣取引プログラムに関し、特に金融機関等の窓口に設置され、異サイズの多数枚の紙幣を一括して一時保留することができる紙幣取引装置及び紙幣取引方法及び紙幣取引プログラムに関する。
【背景技術】
【０００２】
紙幣取引装置では、入金口から入金可能な枚数以上の紙幣を入金する場合、入金口から入金した紙幣を一時保留部へ保留したのち、再度金種別収納カセットに繰り出して収納するため、入金処理が中断されることとなる。このため、一回の入金枚数は、一時保留部の集積枚数によって制限され、それ以上の入金枚数の場合、上記集積枚数ごとに複数回に分けて入金する必要があった。したがって、入金取引処理に時間がかかるという問題があった。
【０００３】
そこで、出願人は、多数枚の紙幣を入金する場合において、一時保留部が満杯になった後、残りの紙幣を装填カセットに保留することで、入金取引処理の効率向上を図ることを提案している（特許文献１参照）。
【０００４】
しかし、特許文献１の紙幣取引装置では、１種類の紙幣の装填及び回収を主目的とする装填カセットに複数種の紙幣を混在して保留することとなる。このため、装填カセットにはサイズの異なる紙幣が保留され、殊にサイズ差が大きい場合には装填カセットで集積不良が生じるおそれがあった。また、一時保留部から金種別収納カセットへの収納時には、装填カセットから、異サイズの紙幣を繰り出さなければならず、繰り出し不良が発生するおそれがあった。  
サイズの異なる金種を多数枚取り扱う機会が多い海外でこのような紙幣取引装置を使用する場合において、そのおそれは高くなる。
【先行技術文献】
【特許文献】
【０００５】
【特許文献１】特開２００１−１０１４７８号公報
【発明の概要】
【発明が解決しようとする課題】
【０００６】
この発明は、上述した問題に鑑み、サイズの異なる多数数の紙幣を入金する入金取引処理において、カセットの追加等をすることなく、入金取引処理の効率を向上することのできる紙幣取引装置、紙幣取引方法及び紙幣取引プログラムを提供し、金融機関の一線窓口業務における業務効率を向上させることを目的としている。
【課題を解決するための手段】
【０００７】
この発明は、紙幣の受け入れを許容する入金口と、該入金口から入金された前記紙幣を鑑別計数する鑑別部と、所定集積枚数の大きさの異なる前記紙幣の集積及び繰り出しを許容する一時保留部と、同じ大きさの紙幣を収納する収納カセットとを備えた紙幣取引装置であって、前記収納カセットのうち前記紙幣が集積されていない空状態である空状態カセットを検出する空状態カセット検出手段と、入金取引処理において前記一時保留部における前記所定集積枚数以上の入金を選択する多数入金選択手段と、該多数入金選択手段によって前記所定集積枚数以上の入金が選択された場合に、前記鑑別部で判別できた同じ大きさの紙幣を前記空状態カセットに一時集積するよう制御する入金紙幣集積制御手段とを備えたことを特徴とする。
【発明の効果】
【０００８】
この発明により、サイズの異なる多数枚の紙幣を入金する入金取引処理において、カセットの追加等をすることなく、入金取引処理の効率を向上することのできる紙幣取引装置、紙幣取引方法及び紙幣取引プログラムを提供し、金融機関の一線窓口業務における業務効率を向上させることができる。
【図面の簡単な説明】
【０００９】
【図１】紙幣取扱システムの構成図。
【図２】紙幣取引装置の概略図。
【図３】紙幣取引装置の制御ブロック図。
【図４】一時保留部の概略構成図。
【図５】異サイズ多数枚入金取引処理のフロー図。
【図６】多数枚入金の選択画面についての説明図。
【図７】指定金種の選択画面についての説明図。
【図８】収納動作のフロー図。
【図９】収納モード選択画面についての説明図。
【図１０】カセット用途設定画面についての説明図。
【発明を実施するための形態】
【００１０】
この発明の一実施形態を以下図面と共に説明する。  
図１は、本発明の一実施形態である紙幣取引装置２を備えた紙幣取扱システム１の構成図である。この実施例では、金種による短手、長手寸法の差が大きい海外紙幣のうち中国紙幣を使用する場合について説明する。
【００１１】
紙幣取扱システム１は、窓口対応者（テラー）が利用する窓口端末装置３と、紙幣取引装置２と、これらを接続する通信線１ａとで構成している。
【００１２】
窓口端末装置３は、窓口対応者（テラー）が顧客情報や取引情報などを扱うための窓口端末装置であり、ＣＲＴや液晶ディスプレイ等で構成される表示部３ａ、キーボードはマウス等で構成される入力部３ｂ、通信線１ａで接続された紙幣取引装置２と通信する通信部、ＣＰＵ等で構成される制御部及びハードディスク等で構成される記憶部で構成している。
【００１３】
紙幣取引装置２は、紙幣の払い出しや預け入れや整理を行う装置であり、通信線１ａによって２台の窓口端末装置３と接続されている。  
なお、紙幣取扱システム１には、紙幣取引装置２の状態を監視するための管理端末装置９を接続することも可能である。
【００１４】
紙幣取引装置２は縦長の直方体形状であり、スタートボタン４、入金口５、出金口６及び返却口７を正面上部に備えている。  
正面視右上部に配置したスタートボタン４は紙幣の預け入れや整理を開始する際に窓口対応者（テラー）が押下するボタンであり、正面視中央上部に配置した入金口５は窓口対応者（テラー）が紙幣の預け入れや整理をする際に紙幣取引装置２内に紙幣を取り込むための入金口である。
【００１５】
入金口５の上部に配置した出金口６は窓口対応者（テラー）が紙幣の払い出し、あるいは整理をした際に紙幣取引装置２から紙幣を取り出すための出金口であり、入金口５と出金口６との間に配置した返却口７は預け入れや整理の際に発生したリジェクト券を窓口対応者（テラー）に返却するための返却口である。
【００１６】
紙幣取引装置２の概略図である図２に示すように、紙幣取引装置２は、一時保留部２１と、識別部２２、金種別収納カセット２３ａ〜２３ｃ、装填カセット２３ｄ、回収カセット２４、上部搬送路２５、下部搬送路２６、入金口搬送路２７、出金口搬送路２８、返却口搬送路２９、一時保留部収納搬送路３０、一時保留部繰出搬送路３１、収納部収納搬送路３２ａ〜３２ｄ、収納部繰出搬送路３３ａ〜３３ｄ、回収部搬送路３４、通過センサ３５、切替ゲート３６、入金口紙幣検知センサ３７、出金口紙幣検知センサ３８及び返却口紙幣検知センサ３９で構成している。
【００１７】
一時保留部２１は、紙幣取引装置２の内部奥側上段に配置され、後述する鑑別部２２で識別・計数された紙幣を一時的に集積する保留部である。  
詳しくは、一時保留部２１は、鑑別部２２で識別・計数された複数種類の紙幣の一時的な集積を許容する保留部であり、内部に羽根車６０を備えている。一時保留部２１の概略構成図である図４に示すように、Ａ方向から入った紙幣６２が一枚ずつ羽根６１の間に入り、羽根車６０が回転することで、端面６２ａが揃った立位状態で紙幣６２を集積することができる。
【００１８】
また、繰り出し時は、繰出装置６３によって紙幣６２は端面６２ａが揃った側のＢ方向へ繰り出されるため、サイズの異なる紙幣６２が混在して集積された場合であっても確実に繰り出すことができる。なお、本実施例において、一時保留部２１の集積枚数は２００枚に設定している。
【００１９】
識別部２２は、一時保留部２１と、紙幣取引装置２の正面上段の返却口７等との間であって、紙幣取引装置２の内部上段中央付近に配置され、入金された紙幣の金種、真偽、向き、損傷の程度を判別する装置である。
【００２０】
金種別収納カセット２３ａ〜２３ｃは、紙幣取引装置２の内部下段に、奥行き方向に並列配置され、紙幣を金種別に集積する収納カセットであり、本実施例においては、奥側から１００元紙幣を収納する１００元紙幣収納カセット２３ａ、５０元紙幣を収納する５０元紙幣収納カセット２３ｂ、１０元紙幣を収納する１０元紙幣収納カセット２３ｃに設定している。なお、金種別収納カセット２３ａ〜２３ｃには、内部の紙幣を検知する内部紙幣検知センサ（図示省略）を備えている。
【００２１】
また、金種別収納カセット２３ａ〜２３ｃは一時保留部２１と比較して数倍の集積枚数であり、一時保留部２１の集積枚数が２００枚に設定された本実施例において、金種別収納カセット２３ａ〜２３ｃはおよそ３０００枚の紙幣が収納できる構成である。
【００２２】
装填カセット２３ｄは、１０元紙幣収納カセット２３ｃの手前側に配置され、金種別収納カセット２３ａ〜２３ｃへの紙幣の装填や、金種別収納カセット２３ａ〜２３ｃから紙幣を回収する場合などに使用する装填カセットである。
【００２３】
装填カセット２３ｄには、内部の紙幣を検知する内部紙幣検知センサ（図示省略）を備えている。また、装填カセット２３ｄは一時保留部２１と比較して数倍の集積枚数であり、一時保留部２１の集積枚数が２００枚に設定された本実施例において、装填カセット２３ｄはおよそ３０００枚の紙幣が収納できる構成である。
【００２４】
なお、金種別収納カセット２３ａ〜２３ｃと装填カセット２３ｄとは同じ構造の収納カセットを用いており、金種別収納カセット２３ａ〜２３ｃは金種ごとにセットする金種別の収納カセットとして機能し、装填カセット２３ｄは紙幣の装填や回収に用いる装填カセットとして機能している。
【００２５】
１００元紙幣収納カセット２３ａの奥側に配した回収部２４は、識別部２２によってリジェクトされた紙幣を収納する回収部である。なお、回収部２４には、内部の紙幣を検知するセンサ（図示省略）を備えている。
【００２６】
上部搬送路２５は、紙幣取引装置２の内部上段に配置され、入金口５、識別部２２、一時保留部２１、出金口６及び返却口７をループして紙幣を搬送する搬送路である。
【００２７】
下部搬送路２６は、紙幣取引装置２の内部中段に配置され、上部搬送路２５から収納カセット２３（以下において、金種別収納カセット２３ａ〜２３ｃと装填カセット２３ｄとをまとめて収納カセット２３とする）及び回収部２４の上を経由して再び上部搬送路２５へ紙幣を搬送する搬送路である。
【００２８】
入金口搬送路２７は入金口５から上部搬送路２５へ紙幣を搬送する搬送路であり、出金口搬送路２８は上部搬送路２５から出金口６へ紙幣を搬送する搬送路である。返却口搬送路２９は上部搬送路２５から返却口７へ紙幣を搬送する搬送路であり、一時保留部収納搬送路３０は上部搬送路２５から一時保留部２１へ紙幣を搬送する搬送路である。
【００２９】
一時保留部繰出搬送路３１は一時保留部２１から上部搬送路２５へ紙幣を搬送する搬送路であり、収納部収納搬送路３２ａ〜３２ｄは下部搬送路２６から収納カセット２３へ紙幣を搬送する搬送路である。
【００３０】
収納部繰出搬送路３３ａ〜３３ｄは収納カセット２３から下部搬送路２６へ紙幣を搬送する搬送路であり、回収部搬送路３４は下部搬送路２６から回収部２４へ紙幣を搬送する搬送路である。
【００３１】
通過センサ３５は紙幣の通過を検知するセンサであり、切替ゲート３６は紙幣の搬送方向を切り替えるゲートである。  
入金口紙幣検知センサ３７は入金口５に紙幣があるか否かを検知するセンサであり、出金口紙幣検知センサ３８は出金口６に紙幣があるか否かを検知するセンサであり、返却口紙幣検知センサ３９は返却口７に紙幣があるか否かを検知するセンサである。
【００３２】
紙幣取引装置２の制御ブロック図である図３に示すように、紙幣取引装置２の制御部は、業務処理部２ａと搬送処理部２ｂとで構成している。  
業務処理部２ａは、上位通信制御部１０２、ボタン制御部１０３、ブザー制御部１０４、ランプ制御部１０５、標示器制御部１０６、下位通信制御部１０７、時計制御部１０８及び記憶部１０９と、これらが接続される業務処理主制御部１０１とで構成している。
【００３３】
業務処理主制御部１０１は２台の窓口端末装置３及び管理端末装置９の排他制御や各部位を制御する制御部である。上位通信制御部１０２は窓口端末装置３及び管理端末装置９との通信を制御する制御部である。
【００３４】
下位通信制御部１０７は、後述する搬送処理部２ｂの上位通信制御部１１１に接続され、搬送処理部２ｂとの通信を制御する制御部である。時計制御部１０８は時計の制御を行う制御部であり、記憶部１０９は業務処理部２ａの設定情報を記憶するための記憶部である。
【００３５】
搬送処理部２ｂは、上位通信制御部１１１、センサ制御部１１２、ゲート制御部１１３、搬送モータ制御部１１４、搬送路移動量計数部１１５、紙幣の判別を行う識別処理部１１６、入金口制御部１１７、出金口制御部１１８、収納カセット制御部１１９、一時保留部制御部１２０及び記憶部１２１と、これらが接続される搬送処理主制御部１１０とで構成している。
【００３６】
搬送処理主制御部１１０は紙幣の搬送を制御する制御部であり、上位通信制御部１１１は上述の下位通信制御部１０７に接続され、業務処理部２ａとの通信を制御する制御部である。  
センサ制御部１１２は、上述の金種別収納カセット２３ａ〜２３ｃ、装填カセット２３ｄ、回収部２４等に備えたセンサや、通過センサ３５、切替ゲート３６及び入金口紙幣検知センサ３７等のセンサを制御する制御部である。
【００３７】
一時保留部制御部１２０は、一時保留部２１に接続され、紙幣の繰り出し及び集積を制御する制御部である。  
記憶部１２１は搬送処理２ｂの設定情報や最初に識別した紙幣の識別結果を記憶するための記憶部である。
【００３８】
このように構成した紙幣取扱システム１による異サイズの紙幣を多数枚入金する入金取引処理における入金動作について、図５、図６、図７とともに説明する。  
なお、図５は異サイズ紙幣の多数枚入金取引処理における入金動作のフロー図を示し、図６，７は表示部３ａに表示されるイメージ図を示している。詳しくは、図６は多数枚入金の選択画面についての説明図であり、図７は指定金種の選択画面についての説明図を示している。
【００３９】
入力部３ｂを操作する窓口対応者（テラー）によって入金取引処理開始の入力を受け付けた窓口端末装置３は、装填カセット２３ｄが空状態であることを確認し、表示部３ａに取引内容選択画面２００を出力する。  
この取引内容選択画面２００には、多数枚入金ボタン２０１と、入金ボタン２０２と、入金計数ボタン２０３と、収納ボタン２０４と、出金ボタン２０５とを備えている。
【００４０】
多数入金選択手段として機能する多数枚入金ボタン２０１は多数枚入金取引処理を実行するボタンであり、入金ボタン２０２は多数枚入金以下の枚数の通常入金取引処理を実行するボタンである。  
なお、多数枚入金か通常入金かは、一時保留部２１の集積枚数を基準とし、集積枚数を越える入金取引処理の場合は多数枚入金となり、集積枚数以下の入金取引処理の場合は通常入金となる。一時保留部２１の集積枚数が２００枚に設定された本実施例においては、２００枚以上の入金取引処理の場合は多数枚入金となり、２００枚以下の入金取引処理の場合は通常入金となる。
【００４１】
入金計数ボタン２０３は紙幣取引装置２に入金した紙幣の計数処理を実行するボタンであり、収納ボタン２０４は計数処理が完了した紙幣を金種別に分けて金種別収納カセット２３ａ〜２３ｃに収納するボタンであり、出金ボタン２０５は出金処理を実行するボタンである。
【００４２】
この取引内容選択画面２００で、窓口対応者（テラー）により、入金ボタン２０２が押下されると（ステップＳ１０１：ＮＯ）、紙幣取引装置２は通常の入金取引処理を実行し、多数枚入金ボタン２０１が押下されると（ステップＳ１０１：Ｙｅｓ）、紙幣取引装置２は多数枚入金取引処理を開始する。
【００４３】
通常、多数枚の紙幣が入金される場合は、ほとんどが同じ金種であることが多いため、多数枚入金取引処理を開始した紙幣取引装置２は入金紙幣の内で一番枚数の多い金種を指定する指定金種選択画面３００（図７参照）を表示する。  
この指定金種選択画面３００には、指定する金種を表示する金種表示部３０１と、指定金種を確定するＯＫボタン３０２とを備えている。
【００４４】
金種表示部３０１は、金種毎に表示するとともに、各金種表示に対して選択を許容するラジオボタン３０１ａ（集積金種指定手段）を備えている。なお、金種表示毎に備えたラジオボタン３０１ａは、いずれかひとつのみが選択できる構成である。
【００４５】
なお、本実施例においては、中国紙幣の１００元、５０元及び１０元が選択可能に表示されている。以下において、窓口に持ち込まれるケースが非常に高い１００元を、入金紙幣の内で一番多い金種として指定する場合について説明する。
【００４６】
この指定金種選択画面３００で、１００元のラジオボタン３０１ａが指定され、ＯＫボタン３０２が押下されると、窓口端末装置３は通信線１ａを通じて、１００元が指定された指定情報を紙幣取引装置２に送信し、紙幣取引装置２は受信した指定情報を記憶する。
【００４７】
指定情報を記憶した紙幣取引装置２は、窓口対応者（テラー）による入金口５への紙幣のセットが入金口紙幣検知センサ３７によって検出されるまで待機する（ステップＳ１０３：Ｎｏ）。
【００４８】
窓口対応者（テラー）によって受け取った紙幣のうちセット可能な枚数分の紙幣が入金口５にセットされたことを入金口紙幣検知センサ３７によって検出した紙幣取引装置２は（ステップＳ１０３：Ｙｅｓ）、一枚ずつ入金口５から紙幣を繰り出し（ステップＳ１０４）、繰り出された紙幣を鑑別部２２で鑑別する（ステップＳ１０５）。  
鑑別部２２によって、リジェクト紙幣であると鑑別された場合（ステップＳ１０６：Ｙｅｓ）、ゲート制御部１１３で切替ゲート３６を制御して当該紙幣を返却口７へ搬送（ステップＳ１０８）する。
【００４９】
他方、鑑別部２２による鑑別結果がＯＫであった場合（ステップＳ１０６：Ｎｏ）、識別処理部１１６で紙幣の金種を識別し、識別した金種が指定金種選択画面３００で指定された金種である場合（ステップＳ１０７：Ｙｅｓ）、ゲート制御部１１３で切替ゲート３６を制御して当該紙幣を装填カセット２３ｄへ搬送する（入金紙幣集積制御手段・ステップとして機能するステップＳ１０９）。
【００５０】
逆に、識別した金種が指定金種選択画面３００で指定された金種でなかった場合（ステップＳ１０７：Ｎｏ）、ゲート制御部１１３で切替ゲート３６を制御して当該紙幣を一時保留部２１へ搬送する（ステップＳ１１０）。
【００５１】
この一連の搬送動作（ステップＳ１０４〜Ｓ１１０）を入金口５が空になるまで実施（ステップＳ１１１：Ｎｏ）する。入金口５が空になり（ステップＳ１１１：Ｙｅｓ）、窓口対応者（テラー）によって残りの紙幣がセットされると（ステップＳ１１２：Ｙｅｓ）、紙幣取引装置２は、窓口対応者（テラー）による入金口５への紙幣がセットされなくなるまでステップＳ１０３に戻って上記処理を実行する（ステップＳ１１２：Ｎｏ）。
【００５２】
紙幣取扱システム１、紙幣取引装置２及び窓口端末装置３を上記構成で構成したため、異サイズの紙幣が混じった多数枚入金取引処理であっても短時間で処理することができる。
【００５３】
詳しくは、異なるサイズの紙幣を集積及び繰り出しが可能な一時保留部２１にすべての紙幣を一時保留する従来の紙幣取引装置の場合、一時保留部２１が満杯になるごとに入金動作を中断し、一時保留部２１に集積した紙幣を、金種別に分けて金種別収納カセット２３ａ〜２３ｃに収納する必要があった。したがって、一時保留部２１の集積枚数を超える多数枚入金取引処理の場合、紙幣入金、鑑別、一時保留及び金種別収納を１サイクルとして、一時保留部２１の集積枚数ごとに繰り返すため、多数枚入金取引処理の場合、非常に長い時間がかかっていた。
【００５４】
しかし、本実施例の紙幣取引装置２では、一時保留部２１に加えて多数枚入金される紙幣の一部を装填カセット２３ｄに集積するため、１回の紙幣の入金枚数を増大させることができ、入金動作を中断することなく多数枚入金取引処理を効率化することができる。
【００５５】
さらにまた、異サイズの紙幣が混じった多数枚入金のうち、装填カセット２３ｄに集積する金種を指定金種選択画面３００におけるラジオボタン３０１ａで指定できるため、構造上同サイズの紙幣の集積しかできない装填カセット２３ｄであっても、現状の構造のまま入金紙幣を一時保留でき、多数枚入金取引処理を効率化することができる。
【００５６】
また、ラジオボタン３０１ａによって指定する装填カセット２３ｄに集積する金種を、入金紙幣の内で一番枚数の多い金種を指定することによって、一時保留部２１の数倍の集積枚数である装填カセット２３ｄに一番入金枚数の多い金種の紙幣を集積し、集積枚数の比較的少ない一時保留部２１にその他の金種の紙幣を集積するため、一時保留部２１の集積枚数に応じて制限される一回の入金枚数を飛躍的に増大させ、多数枚入金取引処理を効率化することができる。
【００５７】
また、入金動作において、一時保留部２１と、センサで内部に紙幣がない空状態であることを確認した装填カセット２３ｄとに入金紙幣を集積するため、入金口５から一時保留部２１及び装填カセット２３ｄまでにある紙幣は入金紙幣、いわゆる機外紙幣であり、装填カセット２３ｄ以降の金種別収納カセット２３ａ〜２３ｃ及び回収部２４までにある紙幣は機内紙幣として、確実に切り分けすることができる。
【００５８】
したがって、紙幣取引装置２内部において搬送中にジャム等の搬送異常が生じた場合であっても、機内紙幣と機外紙幣とを確実に切り分けて取り扱い、現金トラブルが生じるおそれを防止できる。
【００５９】
また、取引内容選択画面２００において多数枚入金ボタン２０１と入金ボタン２０２とを選択可能に備えたことにより、常に多数枚入金取引処理と同じ処理を行う場合と比較し、例えば金種指定等の操作を省略できる等の入金枚数に応じた効率的な入金取引処理を実行することができる。
【００６０】
なお、本実施例では、指定金種選択画面３００において１金種のみを指定する構成としているが、同じサイズの金種について１金種以上の金種を指定できる構成であってもよい。
【００６１】
また、上記実施例では、窓口対応者（テラー）が金種を指定しているが、予め装填カセット内の不揮発メモリに書かれている集積可能な紙幣サイズを紙幣搬送装置２が読み取り、このサイズから装填カセットに搬送可能な金種を自動判別することで、窓口対応者（テラー）の金種指定操作を省略する構成であってもよい。
【００６２】
次に、紙幣取扱システム１による異サイズの紙幣を多数枚入金する入金取引処理において、紙幣取引装置２に入金された紙幣を金種別収納カセット２３ａ〜２３ｃに収納する収納動作について図８〜１０とともに説明する。
【００６３】
なお、図８は多数枚入金取引処理における収納動作のフロー図を示し、図９，１０は表示部３ａに表示されるイメージ図を示している。詳しくは、図９は収納モードを選択する収納モード選択画面についての説明図を示し、図１０はカセットの用途を設定するカセット用途設定画面についての説明図を示している。
【００６４】
上述したように、多数枚入金取引処理における入金動作（ステップＳ１０１〜１１２）が完了した後、紙幣取扱システム１は収納動作を実行する。  
収納動作を実行する紙幣取扱システム１は、窓口端末装置３の表示部３ａに収納モード設定画面４００を出力する。
【００６５】
この収納モード設定画面４００は、収納搬送要否選択手段及び集積紙幣収納搬送指示手段として機能するモード設定ボタン４０１〜４０３を備えている。  
第１モード設定ボタン４０１は、一時保留部２１に集積した紙幣のみを金種別に分けて金種別収納カセット２３ａ〜２３ｃに収納する第１モードに設定するボタンである。
【００６６】
第２モード設定ボタン４０２は、一時保留部２１に集積した紙幣と、装填カセット２３ｄに集積した紙幣とを金種別に分けて金種別収納カセット２３ａ〜２３ｃに収納する第２モードに設定するボタンである。
【００６７】
第３モード設定ボタン４０３は、一時保留部２１に集積した紙幣のみを金種別に分けて金種別収納カセット２３ａ〜２３ｃに収納するとともに、装填カセット２３ｄを集積した金種の金種別収納カセットとして機能させる第３モードに設定するボタンである。
【００６８】
この収納モード設定画面４００で、窓口対応者（テラー）によって第１モード設定ボタン４０１が押下されると（ステップＳ１１４）、紙幣取引装置２は、一時保留部２１に集積した紙幣を金種別に分けて金種別収納カセット２３ａ〜２３ｃに収納する（ステップＳ１１７）。
【００６９】
また、窓口対応者（テラー）によって第２モード設定ボタン４０２が押下されると（ステップＳ１１５）、紙幣取引装置２は、一時保留部２１に集積した紙幣を金種別に分けて金種別収納カセット２３ａ〜２３ｃに収納するとともに（ステップＳ１１７）、装填カセット２３ｄに集積した紙幣を金種別に分けて金種別収納カセット２３ａ〜２３ｃに収納する（ステップＳ１１８）。
【００７０】
さらにまた、窓口対応者（テラー）によって第３モード設定ボタン４０３が押下されると（ステップＳ１１５）、紙幣取引装置２は、一時保留部２１に集積した紙幣を金種別に分けて金種別収納カセット２３ａ〜２３ｃに収納するとともに（ステップＳ１１７）、装填カセット２３ｄを集積した紙幣に応じた金種の金種別収納カセットとして機能するように運用する（ステップＳ１１９）。  
この状態で、多数枚入金取引処理における収納動作は完了し、次の入金取引処理を実行する（ステップＳ１２０）。
【００７１】
このように、多数枚入金取引処理における収納動作において、上述したように収納モードを選択可能に構成したため、例えば、窓口の状況に応じた収納モードを任意で選択でき、多数枚入金取引処理の効率化を図ることができる。
【００７２】
詳しくは、一時保留部２１に集積した紙幣のみを金種別に分けて金種別収納カセット２３ａ〜２３ｃに収納する第１モードを選択した場合、装填カセット２３ｄに集積された紙幣はそのまま装填カセット２３ｄに集積したままとする。
【００７３】
したがって、一時保留部２１及び装填カセット２３ｄに集積したすべての紙幣を金種別に分けて金種別収納カセット２３ａ〜２３ｃに収納する場合と比較して、収納動作に要する処理時間が短くなり、窓口対応者（テラー）はすぐに、次の顧客の取引を受け付けることができる。  
そして、窓口の混雑が解消されたタイミングで、装填カセット２３ｄに集積した紙幣を金種別収納カセットに収納すれば、それ以降は第１モードを選択することができる。
【００７４】
一時保留部２１に集積した紙幣と装填カセット２３ｄに集積した紙幣とを金種別に分けて金種別収納カセット２３ａ〜２３ｃに収納する第２モードを選択した場合、入金紙幣すべてを金種別に分けて金種別収納カセット２３ａ〜２３ｃに収納できる。  
収納動作完了後は一時保留部２１及び装填カセット２３ｄともに空状態となるため、次の多数枚入金取引処理でも多数枚入金が可能となる。
【００７５】
一時保留部２１に集積した紙幣のみを金種別に分けて金種別収納カセット２３ａ〜２３ｃに収納するとともに、集積した金種の金種別収納カセットとして装填カセット２３ｄを機能させる第３モードを選択した場合、装填カセット２３ｄに集積した紙幣を金種別収納カセット２３ａ〜２３ｃのいずれかに収納する収納動作を省略できるため、収納動作に要する時間を短縮できる。
【００７６】
また、装填カセット２３ｄを集積した金種の金種別収納カセットとして機能させるため、入金枚数の多い金種が多数集積されたこの装填カセット２３ｄから出金処理を行うことができ、利便性が向上する。
【００７７】
さらにまた、入金枚数の多い金種が多数集積され、集積した金種の金種別収納カセットとして機能する装填カセット２３ｄを出納に運搬して空状態にすることができ、効率的に業務を進めることができる。その場合、窓口対応者（テラー）が、再び、空になった装填カセット２３ｄを装着すると、多数枚入金取引処理を行うことができる。
【００７８】
なお、金種別収納カセット２３ａ〜２３ｃと、回収部２４ｄとを同じ構造の収納カセット２３で構成しているため、紙幣取引装置２に装備した際に、収納カセット２３の用途を設定する構成であってもよい。
【００７９】
詳しくは、同じ構造の収納カセット２３を複数セットし、カセット用途設定画面５００についての説明図である図１０に示すように、各収納カセット２３の機能・用途を設定可能に構成する。
【００８０】
このカセット用途設定画面５００には、紙幣取引装置２にセットされた各収納カセット２３について表示され、現在の設定内容を表示する現在設定表示部５０１と、収納カセット２３ごとにカセットの機能・用途を設定する機能設定部５０２（機能指示手段）、ＯＫボタン５０３と、キャンセルボタン５０４とを備えている。  
現在設定表示部５０１には、各収納カセット２３の設定金種や装填カセットであることの設定内容と、空状態であるかどうかの表示をしている。
【００８１】
なお、金種別収納カセット２３ａを示すＤカセットは１００元紙幣の収納を意味する「１００元」が表示され、金種別収納カセット２３ｂを示すＣカセットは５０元紙幣の収納を意味する「５０元」が表示されている。
【００８２】
そして、金種別収納カセット２３ｃを示すＢカセットは１０元紙幣の収納を意味する「１０元」が表示されるとともに、紙幣が収納されていないことを示す「空」が表示されている。また、装填カセット２３ｄを示すＡカセットは装填カセットに設定していることを意味する「装填」が表示されている。
【００８３】
機能設定部５０２は、設定する内容である装填や金種（１００元、５０元、１０元）のいずれかが選択できるラジオボタンを備えている。なお、ここで「装填」を選択した場合、当該収納カセット２３を装填カセット２３ｄとして機能させルことができる。同様に、「１００元」が選択された場合は当該収納カセット２３を金種別収納カセットの１００元紙幣収納カセット２３ａとして機能させることとなる。
【００８４】
このように構成したことによって、現状の構造のまま、空状態である収納カセット２３を効率的に有効活用して、金種別収納カセット２３ａ〜２３ｃと装填カセット２３ｄとして機能させることができる。
【００８５】
したがって、例えば、装填カセット２３ｄが空状態でない場合に多数枚入金取引処理を受け付けた場合であっても、金種別収納カセット２３ａ〜２３ｃのうち空状態のカセットがあれば、その空状態の金種別収納カセット２３ａ〜２３ｃを、金紙幣を一時保留するための装填カセット２３ｄとして機能させ、空状態でない装填カセット２３ｄをその集積した紙幣の金種に応じた金種別収納カセットとして機能させることができる。そうすると、次の取引においても、多数枚入金取引が可能になり、窓口の取引時間を大幅に短縮できる。
【００８６】
なお、上述の説明では、装填カセット２３ｄへ集積する金種の選択、その後収納モードの選択は窓口対応者（テラー）が選択する構成であったが、予め設定された金種の紙幣を装填カセット２３ｄに集積するように自動に設定したりすることで、異サイズ紙幣の多数入金を可能とした現金自動預金支払機（ＡＴＭ）などにも適用することができる。
【００８７】
また、上述の説明では、中国紙幣に関する多数枚入金取引処理について説明したが、もちろんその他の国の紙幣であってもよく、さらには、紙幣に限らず商品権等の紙葉類であってもよい。
【符号の説明】
【００８８】
２…紙幣取引装置
５…入金口
２１…一時保留部
２２…鑑別部
２３…収納カセット
２３ａ〜２３ｃ…金種別収納カセット
２３ｄ…装填収納カセット
６２…紙幣
２０１…多数枚入金ボタン
３０１ａ…ラジオボタン
４０１…第１モード設定ボタン
４０２…第２モード設定ボタン
４０３…第３モード設定ボタン
５０２…機能設定部
【図１】
2010231554.tif 000003
【図２】
2010231554.tif 000004
【図３】
2010231554.tif 000005
【図４】
2010231554.tif 000006
【図５】
2010231554.tif 000007
【図６】
2010231554.tif 000008
【図７】
2010231554.tif 000009
【図８】
2010231554.tif 000010
【図９】
2010231554.tif 000011
【図１０】
2010231554.tif 000012